(57)【要約】      （修正有）【課題】単純な構造により強化ダンボール使用の場合４００キログラムまで耐えられ、構造が単純なため組み立て分解が容易で、会場設営時の時間削減と経費削減に貢献できる簡易式組立型ダンボール椅子の提供。【解決手段】単純な構造で紙製の椅子を提供するため、次の３つの方法による組立型段ボール椅子を考案した。平板ダンボール１枚を折り組合せてなる段ボール製組立椅子、平板ダンボール２枚を折り組合せてなる段ボール製組立椅子、平板ダンボール３枚を折り組合せてなる段ボール製組立椅子。【選択図】図２
0003139335.tif 000002
【実用新案登録請求の範囲】
【請求項１】
組立型段ボール製の椅子であって、１枚の平板段ボールを上下方向の中心部より２分割するように横方向１箇所に折筋を入れ、横方向には３等分となるように縦方向２箇所に折筋を入れ全体を６等分するようにし、上部２箇所の折筋部には切り込みを入れる。上下に２分割された下部の一方には糊しろ部を設ける。
次に、上部において左右にある分割された、段ボールそれぞれの横方向中心部に縦に折筋を入れ、その折筋を基点に、上下方向の中心部より２分割するように横方向へ入れた折筋に添って、平板段ボールの中心に向かって切り込みを入れる。
中央部上部の段ボールは、左下端から上部中心部へ、右下端から上部中心部へ二等辺三角形となるように折筋をいれたものを、図１に示すように、折筋部を１山折り又は２谷折りとし、糊しろ部５を接合することを特徴とする、簡易式組立型段ボール。
【請求項２】
組立型段ボール製の椅子であって、２枚の平板段ボールを使用し、１枚目は横方向に３等分となるように折筋を入れ、その中心部の段ボール上部に座部となる段ボールを設け、左右どちらか一方に糊しろ部を設ける。
中央部上部の段ボールは、左下端から上部中心部へ、右下端から上部中心部へ二等辺三角形となるように折筋をいれ、図４に示すように、折筋部を１山折りとし、糊しろ部５を接合する。
２枚目の段ボールは横方向に６等分し折筋を入れ、次に折筋を１山折りとし三角形を２つ組み合わせた菱形として、前記の段ボール椅子本体内部に組み込むことを特徴とする簡易式組立型段ボール椅子。
【請求項３】
組立型段ボール製の椅子であって、３枚の平板段ボールを使用し、１枚目は横方向に３等分となるように折筋を入れ、その中心部の段ボール上部に座部となる段ボールを設け、左右どちらか一方には糊しろ部を設ける。右側部の段ボールには、横方向中心部に縦に折筋を入れる。
中央部上部の段ボールは、左下端から上部中心部へ、右下端から上部中心部へ二等辺三角形となるように折筋をいれる。
２枚目と３枚目は前記段ボールの座部と糊しろ部を除いた形状とし、図７、図８に示すように、折筋部を１山折りとし、図９のように３枚を組合せ、糊しろ部５を接合することを特徴とする、簡易式組立型段ボール。
【請求項４】
糊しろ部５を接着剤又は粘着テープ又は面ファスナーで接合することでを特徴とする、請求項１から３記載の簡易式組立型ダンボール椅子。
【考案の詳細な説明】
【背景技術】
【０００１】
従来の紙製の組み立て椅子の分野は、子供向け玩具、携帯用椅子、高級インテリアデザイン椅子に大別される。特開Ｈ０９−３２２８３９、特開Ｈｌ０−０５２３３８、特開Ｈ１１−１８７９５、特開２００４−３５７９１１、などいずれも座部の部分を平面にする内部構造で部品点数が多く複雑な構造になっている。
【考案の開示】
【考案が解決しようとする課題】
【０００２】
従来の段ボールに代表される紙製の組立型椅子は、座部を平らにし、尚かつ強度を維持するため、多くの仕切り部品を使用する必要性があり複雑な構造になっていた。そのため組み立て時間もかかり価格も高くなってしまい、ダンボールの特徴を生かしきれていない。単純な構造で圧力に強く、組み立て時間も早く、数人一緒に座れ、会場の雰囲気に椅子のデザインが合うことが課題となる。
【特許文献１】特開Ｈ０９−３２２８３９
【特許文献２】特開Ｈ１０−５２３３８
【特許文献３】特開Ｈ１１−１８７９５
【特許文献４】特開２００４−３５７９１１
【課題を解決するための手段】
【０００３】
本考案が単純な構造で上記課題を解決する紙製の椅子を提供するため、次の３つの方法による組立型段ボール椅子を考案した。
平板ダンボール１枚を折り組合せてなる段ボール製組立椅子、平板ダンボール２枚を折り組合せてなる段ボール製組立椅子、平板ダンボール３枚を折り組合せてなる段ボール製組立椅子。
【考案の効果】
【０００４】
本考案は単純な構造によりｋ６，２２０強化段ボール使用の場合４００キログラムまで耐えられ、構造が単純なため組み立て分解が容易で、会場設営時の時間削減と経費削減に貢献できる。
【考案を実施するための最良の形態】
【０００５】
以下実施例に基づき説明する
【実施例１】
【０００６】
１枚の平板段ボールを上下方向の中心部より２分割するように横方向１箇所に折筋を入れる。横方向には３等分となるように縦方向２箇所に折筋を入れ全体を６等分するようにし、上部２箇所の折筋部には切り込みを入れる。上下に２分割された下部の一方には糊しろ部を設ける。
次に、上部において左右にある分割された、段ボールそれぞれの横方向中心部に縦に折筋を入れ、その折筋を基点に、上下方向の中心部より２分割するように横方向へ入れた折筋に添って、平板段ボールの中心に向かって切り込みを入れる。
中央部上部の段ボールは、左下端から上部中心部へ、右下端から上部中心部へ二等辺三角形となるように折筋をいれる。
【０００７】
上下に分割された段ボールの下部は脚部となり、上部の中心部は座部となり、上部左右部は内部へ折り曲げ、補強部となるものである。
図１に示すように、折筋部を１山折り又は２谷折りとし、糊しろ部５を接着剤又は粘着テープ又は面ファスナーで接合することで、段ボール椅子として完成する。
座部の左右先端部は、脚部に切り込みを入れ、そこへ差し込むことで座部が固定され、外観状も美観を有する。
完成した斜視図を図２へ、断面図を図３に示す。
【実施例２】
【０００８】
２枚の平板段ボールを使用した段ボール椅子について説明する。
１枚目は座部及び脚部となるもので、横方向に３等分となるように折筋を入れ、その中心部の段ボール上部に座部となる段ボールを設け、左右どちらか一方に糊しろ部を設ける。
中央部上部の段ボールは、左下端から上部中心部へ、右下端から上部中心部へ二等辺三角形となるように折筋をいれる。
図４に示すように、折筋部を１山折りとし、糊しろ部５を接着剤又は粘着テープ又は面ファスナーで接合することで、段ボール椅子の本体として完成する。
【０００９】
２枚目は段ボール椅子の内部へ取付て補強部となるもので、１枚の段ボールを横方向に６等分し折筋を入れる。次に折筋を１山折りとし三角形を２つ組み合わせた菱形として、前記の段ボール椅子本体内部に組み込むことで完成する。
座部の左右先端部は、脚部に切り込みを入れ、そこへ差し込むことで座部が固定され、外観状も美観を有する。
図２は完成した段ボール椅子の斜視図で、図６はその断面図である。
【実施例３】
【００１０】
３枚の平板段ボールを使用した段ボール椅子について説明する。
１枚目は座部及び脚部となるもので、横方向に３等分となるように折筋を入れ、その中心部の段ボール上部に座部となる段ボールを設け、左右どちらか一方に糊しろ部を設ける。更に、右側部の段ボールには、横方向中心部に縦に折筋を入れる。
中央部上部の段ボールは、左下端から上部中心部へ、右下端から上部中心部へ二等辺三角形となるように折筋をいれる。
【００１１】
２枚目と３枚目は前記段ボールの座部と糊しろ部を除いた形状とする。
図７、図８に示すように、折筋部を１山折りとし、図９のように３枚を組合せ、糊しろ部５を接着剤又は粘着テープ又は面ファスナーで接合することで、段ボール椅子の本体として完成する。
【００１２】
座部の左右先端部は、脚部に切り込みを入れ、そこへ差し込むことで座部が固定され、外観状も美観を有する。
【００１３】
完成した段ボール椅子を６個使用し、６角形に組み合わせることで、複数人が座れる椅子として利用することもできる。図１０はその斜視図である。
また、横方向に並べることで、長いすとして利用することもできる。図１１はその斜視図である。
【産業上の利用可能性】
【００１４】
屋内及び屋外の各種イベント、キャンプ、緊急災害時等、多目的に利用できる、
【図面の簡単な説明】
【００１５】
【図１】段ボール１枚構成での本体展開図
【図２】段ボール１枚構成での段ボール椅子完成斜視図
【図３】段ボール１枚構成での完成品Ａ−Ａ‘断面図
【図４】段ボール２枚構成での本体部展開図
【図５】段ボール２枚構成での補強部展開図
【図６】段ボール２枚構成での完成品Ａ−Ａ‘断面図
【図７】段ボール３枚構成での本体部展開図
【図８】段ボール３枚構成での脚部、補強部展開図
【図９】段ボール３枚構成での完成品Ａ−Ａ‘断面図
【図１０】本考案の段ボール椅子６個を６角形に組み合わせた例
【図１１】本考案の段ボール椅子６個を横方向に組み合わせた例
【符号の説明】
【００１６】
１  筋押し山折
２  筋押し谷折
３，天面座部
４  脚部
５  糊しろ部
６  座部左右先端部
【図１】
0003139335.tif 000003
【図２】
0003139335.tif 000004
【図３】
0003139335.tif 000005
【図４】
0003139335.tif 000006
【図５】
0003139335.tif 000007
【図６】
0003139335.tif 000008
【図７】
0003139335.tif 000009
【図８】
0003139335.tif 000010
【図９】
0003139335.tif 000011
【図１０】
0003139335.tif 000012
【図１１】
0003139335.tif 000013
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
組立型段ボール製の椅子であって、１枚の平板段ボールを上下方向の中心部より２分割するように横方向１箇所に折筋を入れ、横方向には３等分となるように縦方向２箇所に折筋を入れ全体を６等分するようにし、上部２箇所の折筋部には切り込みを入れ、上下に２分割された下部の一方には糊しろ部を設け、上部において左右にある分割された、段ボールそれぞれの横方向中心部に縦に折筋を入れ、その折筋を基点に、上下方向の中心部より２分割するように横方向へ入れた折筋に添って、平板段ボールの中心に向かって切り込みを入れ、中央部上部の段ボールは、左下端から上部中心部へ、右下端から上部中心部へ二等辺三角形となるように折筋をいれたものを、折筋部１を山折り及び折筋部２を谷折りとし、糊しろ部５を接合することを特徴とする、簡易式組立型段ボール椅子。
【請求項２】
組立型段ボール製の椅子であって、２枚の平板段ボールを使用し、１枚目は横方向に３等分となるように折筋を入れ、その中心部の段ボール上部に座部となる段ボールを設け、左右どちらか一方に糊しろ部を設け、中央部上部の段ボールは、左下端から上部中心部へ、右下端から上部中心部へ二等辺三角形となるように折筋をいれ、折筋部１を山折りとし、糊しろ部５を接合し、２枚目の段ボールは横方向に６等分し折筋を入れ、次に折筋部１を山折りとし三角形を２つ組み合わせた菱形として、前記の段ボール椅子本体内部に組み込むことを特徴とする簡易式組立型段ボール椅子。
【請求項３】
組立型段ボール製の椅子であって、３枚の平板段ボールを使用し、１枚目は横方向に３等分となるように折筋を入れ、その中心部の段ボール上部に座部となる段ボールを設け、左右どちらか一方には糊しろ部を設け、右側部の段ボールには、横方向中心部に縦に折筋を入れ、中央部上部の段ボールは、左下端から上部中心部へ、右下端から上部中心部へ二等辺三角形となるように折筋をいれ、２枚目と３枚目は前記段ボールの座部と糊しろ部を除いた形状とし、折筋部１を山折りとし、これら３枚の段ボールを組合せ、糊しろ部５を接合することを特徴とする、簡易式組立型段ボール椅子。
【請求項４】
糊しろ部５を接着剤又は粘着テープ又は面ファスナーで接合することでを特徴とする、請求項１〜３いづれか一項に記載の簡易式組立型ダンボール椅子。